(57)【要約】【課題】長時間使用しても飽きずに腕や肩のシェイプアップすることができ、構造が単純で携帯が簡便な運動器具を提供すること。【解決手段】本発明おける運動器具は、中空である環状の本体１０と、本体１０内に封入され内部を自由に移動可能な球体３と、本体１０に接続された把持部２とで構成されている。使用者はグリップ２０を持ち、球体３が本体１０の内部にそって回転するように腕を上下または左右あるいは円を描くように動かす。使用者は球体の回転の周期に合わせてリズミカルに腕を動かして本体１０を揺動させることにより球体３を付勢し、球体３の回転を継続させる。この運動の作用で腕や肩を効果的にシェイプアップすることができる。【選択図】図１
2005278840.tif 000002
【特許請求の範囲】
【請求項１】
中空である環状の本体と、
前記本体の内部に封入され、内部を自由に移動可能な球体と、
前記本体に接続される、使用者が把持するための把持部と
を備えることを特徴とする運動器具。
【請求項２】
請求項１に記載の運動器具において、
前記本体が透明な素材で形成されており、前記球体を外部から視認できること
を特徴とする運動器具。
【請求項３】
請求項１または２に記載の運動器具において、
前記把持部が前記本体の径方向と垂直な方向へ延出していること
を特徴とする運動器具。
【請求項４】
請求項１から３の何れかに記載の運動器具において、
前記把持部に使用者が握り易くするための凹凸部を有すること
を特徴とする運動器具。
【請求項５】
請求項１から４の何れかに記載の運動器具において、
前記本体に封入される前記球体が複数個であること
を特徴とする運動器具。
【発明の詳細な説明】
【技術分野】
【０００１】
本発明は腕や肩などをシェイプアップするための運動器具に関するものである。
【背景技術】
【０００２】
腕や肩を鍛錬する運動器具として、ダンベルなどの重量を利用した運動器具が一般的に知られている。また、特許文献１に開示されているような、回転する錘を利用した携帯が簡便な運動器具も提案されている。
【特許文献１】実用新案登録第３０８９４２６号公報
【発明の開示】
【発明が解決しようとする課題】
【０００３】
健康や美容のために減量を目的とする運動を行う場合、脂肪を燃焼させるためにはある程度長時間の運動が必要とされる。しかし、ダンベルなどの重量を利用した器具による運動は筋肉への負担が大きく、長時間続けることが困難である。また、筋肉への負担を減らすために重量の軽いものを使用しても、単純な運動を長時間継続するのは退屈であるために飽きやすい。さらに、ダンベルは重いので携帯するのに不便であり、使用する場所や時間が限られて運動をする機会が少ない。
【０００４】
一方、特許文献１に開示された運動器具は携帯が簡便で、錘の運動やそれに伴って発生する音によって面白さを付与することにより使用者が退屈しないようにしている。しかし、錘の回転や音の発生に関わる機構は複雑であるため、粗雑な扱いをされることが予想される運動器具としては耐久性に不安があり、生産性が低く費用もかかる。また、錘の回転による振動や発生する音だけでは面白さとしては物足りない。
【０００５】
本発明はこのような問題を鑑みてなされており、長時間使用しても飽きずに腕や肩のシェイプアップをすることができ、構造が単純で携帯が簡便な運動器具を提供することを目的としている。
【課題を解決するための手段】
【０００６】
上述のような問題を解決するためになされた本発明における運動器具は、中空である環状の本体と、本体内部に封入され内部を自由に移動可能な球体と、本体に接続された把持部とで構成されている。ここでいう環状の本体とは完全な円形に限らず、例えば楕円形や略円状の多角形などであってもよい。ただし、本体内部の球体の移動を著しく阻害しないような形状であることが望ましい。また、本体内部に封入される球体は、完全な球形に限らず、略球状の多面体などであってもよい。ただし、本体内部を滑らかに移動できるような形状であることが望ましい。
【０００７】
本体および把持部には、例えばＡＢＳ樹脂や塩化ビニルなどといった比較的比重が小さく、耐衝撃性に優れた素材を用いることが望ましい。このような素材で構成された本発明の運動器具は、ダンベルなどといった重量を利用して鍛錬する運動器具と比較して十分に軽量であり、運動時の筋肉への負担が少なく長時間使用できるので減量を目的とした運動に適している。また、軽量であるので様々な場所へ手軽に持ち運ぶことができ、使用機会が増えてより効果的に減量に貢献できる。さらに、耐衝撃性に優れることに加えて構造が単純であるので、粗雑な扱いにも耐え得る。また、構造が単純なので生産性が高く、費用がかからず経済的である。
【０００８】
以下に本発明の運動器具の具体的な使用例を説明する。使用者は把持部を持ち、球体が環状本体の内部に沿って回転（以下、この運動を公転と呼ぶ）するように腕を上下または左右あるいは円を描くように動かす。球体の公転を継続させるためには、球体に公転運動の中心方向に向かう力（向心力）を加える必要がある。使用者は球体の公転の周期に合わせてリズミカルに腕を動かして本体を揺動させることにより球体に向心力を加え、球体の公転を継続させる。この運動の作用で腕や肩を効果的にシェイプアップすることができる。
【０００９】
ところで、使用者が飽きることなく長時間の運動を継続するためには、本発明の運動器具は請求項２に記載のように本体が透明な素材で構成されることが望ましい。ここでいう透明とは、無色透明でもよいし有色透明でもよい。本体が透明であることによって使用者が公転する球体を視認できるようになり、使用者に面白さを提供することができる上に、デザイン的にも新鮮であるので使用者の運動意欲を高める効果がある。また、球体自体に彩色を施したり、模様を描いたりしても使用者の興味を誘発するのに効果的である。
【００１０】
このように、本発明における運動器具は球体が公転することによって生じる音や振動により感じる面白さに加えて、公転する球体を目で見る面白さによっても使用者の興味を誘発するので、使用者は減量に必要なある程度長時間の運動を楽しみながら継続することができる。
【００１１】
一方、把持部を様々な方向へ持ち替えて、腕に対する本体の向きを変化させると、球体を公転させるための腕の動かし方が本体の向きに応じて変化する。このようにして使用者は、様々な方向に腕を動かすことで腕や肩を満遍なくシェイプアップすることができる。このとき、請求項３に記載のように、把持部が本体の径方向に垂直な方向に延出しているとよい。把持部が本体の径方向に垂直な方向に延出していることにより、本体が腕に対して様々な方向に向くように把持部を持ち替えても、本体と使用者の拳や腕が干渉しないので、運動を妨げない。さらに使用者の拳と本体がある程度離れているので公転している球体の視認性がよく、面白さを向上させる。
【００１２】
さらに、本発明における運動器具が長時間使用されることを鑑みて、把持部には請求項４に記載のように、使用者が持ち易くするための凹凸部が形成されているとよい。これらの凹凸部は滑り止めとして機能すると共に、使用者の掌に適度な刺激を加えることによりマッサージ効果も発揮してより快適な使用感を提供する。
【００１３】
また、請求項５に記載のように本体内部に封入される球体は複数個であってもよい。複数の球体を同一方向に公転させたり、球体を互いに衝突させることによって反転させ、再び衝突させるといった運動を繰り返したり、という具合で使用方法に様々なバリエーションを生むことができ、使用者は玩具で遊んでいるような感覚で楽しく運動することができる。
【発明を実施するための最良の形態】
【００１４】
以下、本発明が適用された実施例について図面を用いて説明する。なお、本発明の実施の形態は、下記の実施例に何ら限定されることなく、本発明の技術範囲に属する限り種々の形態を採りうる。
【００１５】
まず、本実施例における運動器具１の構成について説明する。
図１は本実施例の運動器具１を示す一部破断斜視図であり、運動器具１は本体１０と把持部２と球体３とで構成されている。本体１０は中空の円環であり、その本体１０の中空部１１に球体３が封入されている。把持部２は略コの字形であり、その把持部２の両端と本体１０が接続されている。また、図２は本実施例の運動器具１を示す断面図であり、図２（ａ）は把持部２に対して垂直に交わる面における断面図で、図２（ｂ）は把持部２に対して平行な面における断面図である。
【００１６】
次に、本実施例の運動器具１における本体１０、把持部２、球体３の各構成について説明する。
［本体１０の構成］
本体１０はトーラス形であって、その断面形状は円形であり、本体１０の断面と中空部１１は同心円形を成す（図２参照）。本体１０の大きさは、本体１０の円環内側を使用者の拳が本体１０と接触せずに通ることができる程度である。また、本体１０は透明な素材で構成されており、球体３を外側から視認できる。ここでいう透明とは、無色透明であっても有色透明であってもよい。
【００１７】
ところで、本体１０はトーラス形に限らず、楕円形や略円状の多角形などであってもよい。また、断面形状も円形に限らず、楕円形や多角形などであってもよい。ただし、何れの場合も球体３の移動を著しく阻害しないような形状であることが望ましい。
【００１８】
なお、本実施例では、本体１０および把持部２にＡＢＳ樹脂や塩化ビニルなどといった比較的比重が小さく耐衝撃性に優れた素材を用いている。
［把持部２の構成］
把持部２は、グリップ２０および一対の脚部２２で構成されており、グリップ２０の両端に一対の脚部２２の一端がそれぞれ接続され、全体として略コの字形となっている。把持部２は、一対の脚部２２の他端がそれぞれ本体１０の中心を挟んで対向する位置で本体１０と接続されおり、かつ図２（ａ）に示すように把持部２が本体１０の径方向に対して垂直に延出するように形成されている。さらに把持部２において、グリップ２０は片手で握るのに十分な程度の大きさであって、脚部２２は、本体１０とグリップ２０が拳１個分の長さ程度離れるような大きさである。
【００１９】
また、グリップ２０には、使用者が握りやすくするための凹凸部２１が形成されており、本体１０側を下側、グリップ２０側を上側としたときに、凹凸部２１はグリップ２０の上側に形成されている。本実施例では、これらの凹凸部２１はグリップ２０を把持するとき使用者の指と指の間に位置するように形成されるか、指の位置とほぼ同じ位置などに形成される。
【００２０】
なお、本実施例では運動器具１の重量をなるべく軽くするという観点から把持部２は中空である。
［球体３の構成］
球体３は球形であって、その大きさは中空部１１の断面の径よりも小さく、かつ、中空部１１の円環形に沿って公転しうる程度の大きさを有している。本実施例では、鋼球などのある程度重量のあるものを用いている。ところで、図面１、２、３、４、６において、球体３が破線で表示されているが、実際には本体１０が透明であるので、球体３は外部から視認できる。
【００２１】
なお、球体３は完全な球形に限らず、略球状の多面体などであってもよい。ただし、中空部１１を滑らかに移動できるような形状であることが望ましい。
続いて、以下に本実施例における運動器具１の具体的な使用例を図３に基づいて説明する。なお、以降、運動器具１において本体１０側を下側、グリップ２０側を上側と定める。
【００２２】
使用者は本体１０の下側から本体１０の円環内に拳を通し、本体１０の径方向と使用者の下腕がほぼ垂直になるようにグリップ２を把持する。そして、使用者は腕を上下または左右あるいは本体１０の中心を軸とした円を描くように動かすことにより運動器具１を揺動させ、球体３が中空部１１内を公転するように球体３を付勢する。付勢された球体３は中空部１１内を公転し、本体１０の内壁との摩擦によって音と振動を発生する。このとき使用者は、球体３が公転する様子を視認することができる。使用者は球体３の公転の周期に合わせてリズミカルに腕を動かし続けることにより、球体３の公転を継続させる。この運動の作用で腕や肩を効果的にシェイプアップすることができる。
【００２３】
一方、把持部２を様々な方向に持ち替えて、腕に対する本体１０の向きを変化させて使用することによって、運動の仕方を変化させることができる。例えば図４に示すように、運動器具１の上側からグリップ２０を把持し、本体１０の径方向と使用者の下腕がほぼ平行になるようにする。この把持方法は図３に示す使用例における本体１０の向きから、使用者の拳を中心に本体１０を約９０°回転させた状態にある。この状態で球体３を公転させるには、腕を上下または前後あるいは本体１０の中心を軸に円を描くように動かせることになり、図３に示す使用例の場合と腕の運動の仕方が異なる。
【００２４】
［効果］
本実施例における運動器具１は、本体１０および把持部２がＡＢＳ樹脂や塩化ビニルなどといった耐衝撃性に優れ比重が比較的小さい素材で構成されている。このような素材で構成された運動器具１は、構造が単純であることも奏功し、長時間使用可能なうえに携帯が簡便であり、堅牢でかつ生産性・経済性に優れた運動器具を実現できる。
【００２５】
また、把持部２のグリップ２０に形成される凹凸部２１は滑り止めとして機能すると共に、使用者の掌に適度な刺激を加えることによりマッサージ効果を発揮して、より快適な使用感を提供する。
【００２６】
また、図３に示す使用方法において使用者は運動中に球体３が公転する様子を視認しながら、例えば腕の周りを衛星が回っているようなイメージなどを想像して、楽しみながら運動を継続することができる。このように、本実施例における運動器具１は球体３が公転することによって発生する音や振動によって使用者の興味を誘発することに加え、公転する球体３を使用者が視認できることによっても面白さを付与するので、長時間使用しても飽きない運動器具を実現している。また、本体１０が透明であることは、それ自体デザイン的に新鮮であり使用者の運動意欲を高める効果がある。なお、球体３に彩色を施したり、模様を描いたりしても使用者の興味を誘発するのに効果的である。
【００２７】
また、図４に示す使用方法のように把持部２を様々な方向に持ち替えて本体１０の向きを変化させることによって、腕の運動に様々なバリエーションが生まれ、腕や肩を満遍なくシェイプアップすることができる。このとき、把持部２が本体１０の上側に延出していることで、本体１０が様々な方向へ向くように把持部２を持ち替えても本体１０と使用者の拳や腕が干渉しないので運動を妨げない。同じく、把持部２が本体１０の上側に延出していることによって、本体１０と使用者の拳がある程度離れているので、球体３の視認性が良く、面白さを向上させる。
【００２８】
［別実施例］
（１）図５は把持部の様々な実施例を示す側面図である。図５（ａ）は上記実施例における把持部２の側面図であり、グリップ２０の上側に凹凸部２１が形成されている。一方、図５（ｂ）はグリップ２０ｂの下側に凹凸部２１ｂが形成されている把持部２ｂの実施例で、図５（ｃ）は、グリップ２０ｃの全周囲に凹凸部２１ｃが形成されている把持部２ｃの実施例である。図５（ａ）、（ｂ）、（ｃ）に示す何れの把持部２、２ｂ、２ｃも、滑り止め効果とマッサージ効果を有しており、このように形状の異なる把持部を有する様々な運動器具が提供されることによって、使用者は自分の好みに合った形状の把持部を有する運動器具を選択することができる。
【００２９】
（２）上記実施例における運動器具１は球体３が１個で構成されているが、本体１０に封入される球体３は複数であってもよい。図６は球体３が２個で構成されている運動器具１を示す斜視図である。球体３が２個で構成されている場合、２個の球体３を同一方向に公転させたり、球体３同士を衝突させることによって反転させ、再び衝突させるといった運動を繰り返したり、といった具合でバリエーションに富んだ運動をすることが可能になる。このようにして使用者は玩具で遊んでいるような感覚で楽しみながら運動することができる。
【００３０】
（３）上記実施例における運動器具１の大きさは、携帯性や腕への負担などを考慮して、片手で扱うのに適した大きさとしている。一方、両手で扱うことを考慮したり、腕や肩だけでなく全身のシェイプアップなどを目的としたりした場合には、運動器具１は手で持つことができる程度の範囲で大きくてもよい。このように、大きさの異なる様々な運動器具が提供されることによって、使用者が運動の目的にあった運動器具を選択することができる。
【図面の簡単な説明】
【００３１】
【図１】実施例の運動器具の一部断面斜視図である。
【図２】実施例の運動器具の断面図である。
【図３】実施例の運動器具の使用方法の一例を示す斜視図である。
【図４】実施例の運動器具の使用方法のもう一つの一例を示す斜視図であり、図３に示す使用例とは把持したときの本体の向きが異なる。
【図５】把持部形成される凹凸部の別実施例を示す側面図である。
【図６】本体に封入される球体が２個で構成されている運動器具の斜視図である。
【符号の説明】
【００３２】
１…運動器具、２，２ｂ，２ｃ…把持部、３…球体、１０…本体、１１…中空部、２０，２０ｂ，２０ｃ…グリップ、２１，２１ｂ，２１ｃ…凹凸部、２２…脚部
【図１】
2005278840.tif 000003
【図２】
2005278840.tif 000004
【図３】
2005278840.tif 000005
【図４】
2005278840.tif 000006
【図５】
2005278840.tif 000007
【図６】
2005278840.tif 000008